(57)【要約】【課題】  安全性の向上が可能であって部品点数の増加や配線の複雑化が避けられる電源コードを提供する。【解決手段】  複数個の栓刃１１を有するプラグ１と、負荷に接続される負荷接続部とを備える。プラグ１は、１個ずつの栓刃１１の温度を検出する２個のＰＴＣサーミスタ５０を有する。２個のＰＴＣサーミスタ５０は１個の直列回路を構成しており、この直列回路の抵抗値が所定値よりも高くなったときに遮断装置３により栓刃１１から負荷接続部への通電がオフされる。一方のＰＴＣサーミスタ５０の温度だけが上がった場合でも通電をオフすることができるから、ＰＴＣサーミスタ５０を１個しか有さない場合に比べ、安全性の向上が可能となる。また、各ＰＴＣサーミスタ５０の抵抗値が個別に監視される場合と違い、部品点数の増加や配線の複雑化が避けられる。【選択図】図１
2015115264.tif 000002
【特許請求の範囲】
【請求項１】
それぞれ電源コンセントの栓刃挿入口に挿入接続される複数個の栓刃と各栓刃について少なくとも１個ずつ設けられて対応する栓刃の温度を検出する複数個のＰＴＣサーミスタとを有するプラグと、
負荷に接続される負荷接続部とを備え、
複数個の前記ＰＴＣサーミスタは１個の直列回路を構成し、
この直列回路の抵抗値が所定値よりも高くなったときに前記栓刃から前記負荷接続部への通電をオフする遮断装置を備えることを特徴とする電源コード。
【請求項２】
それぞれ電源コンセントの栓刃挿入口に挿入接続される複数個の栓刃と各栓刃について少なくとも１個ずつ設けられて対応する栓刃の温度を検出する複数個のＰＴＣサーミスタとを有するプラグと、
負荷に接続される負荷接続部とを備え、
前記負荷は、前記栓刃と前記負荷接続部とを通じて入力される電流の量を制御する制御回路を有するものであって、
複数個の前記ＰＴＣサーミスタは１個の直列回路を構成し、
この直列回路の抵抗値が所定値よりも高くなったときに前記制御回路に通知する通信回路を備えることを特徴とする電源コード。
【発明の詳細な説明】
【技術分野】
【０００１】
本発明は、電源コードに関するものである。
【背景技術】
【０００２】
従来から、電源コンセントに接続されるプラグと、プラグの温度を検出する温度センサと、温度センサにより異常な温度上昇が検出されたときにプラグから負荷への通電を停止させる遮断装置とを備える電源コードが提供されている（例えば、特許文献１参照）。プラグは、それぞれ電源コンセントに挿入されて電源コンセント内の刃受けに接触導通する複数個の栓刃を有する。
【０００３】
この種の電源コードによれば、電源コンセントにおけるプラグの栓刃の接触不良などによる異常発熱が発生した場合であっても、通電が停止されることで、熱によるプラグの破損や出火などが防止される。
【先行技術文献】
【特許文献】
【０００４】
【特許文献１】特開平７−６７２４５号公報
【発明の概要】
【発明が解決しようとする課題】
【０００５】
ここで、温度センサを１個しか有さない場合、複数個の栓刃のうち、温度センサから最も離れた栓刃の温度と温度センサの出力との相関が比較的に低くなってしまい、該栓刃での温度上昇に対する応答が遅くなって安全性が低下する可能性があった。
【０００６】
一方、温度センサを複数個設けて各温度センサの出力を個別に監視する場合、部品点数の増加や配線の複雑化を招いてしまう。
【０００７】
本発明は、上記事由に鑑みて為されたものであり、その目的は、安全性の向上が可能であって部品点数の増加や配線の複雑化が避けられる電源コードを提供することにある。
【課題を解決するための手段】
【０００８】
本発明の電源コードは、それぞれ電源コンセントの栓刃挿入口に挿入接続される複数個の栓刃と各栓刃について少なくとも１個ずつ設けられて対応する栓刃の温度を検出する複数個のＰＴＣサーミスタとを有するプラグと、負荷に接続される負荷接続部とを備え、複数個の前記ＰＴＣサーミスタは１個の直列回路を構成し、この直列回路の抵抗値が所定値よりも高くなったときに前記栓刃から前記負荷接続部への通電をオフする遮断装置を備えることを特徴とする。
【０００９】
本発明の別の電源コードは、それぞれ電源コンセントの栓刃挿入口に挿入接続される複数個の栓刃と各栓刃について少なくとも１個ずつ設けられて対応する栓刃の温度を検出する複数個のＰＴＣサーミスタとを有するプラグと、負荷に接続される負荷接続部とを備え、前記負荷は、前記栓刃と前記負荷接続部とを通じて入力される電流の量を制御する制御回路を有するものであって、複数個の前記ＰＴＣサーミスタは１個の直列回路を構成し、この直列回路の抵抗値が所定値よりも高くなったときに前記制御回路に通知する通信回路を備えることを特徴とする。
【発明の効果】
【００１０】
本発明によれば、ＰＴＣサーミスタを１個しか有さない場合に比べ、安全性の向上が可能となる。また、複数個のＰＴＣサーミスタの直列回路の抵抗値が用いられるので、複数個のＰＴＣサーミスタの抵抗値が個別に検出される場合と違い、部品点数の増加や配線の複雑化が避けられる。
【図面の簡単な説明】
【００１１】
【図１】本発明の実施形態１の概略構成を示す説明図である。
【図２】同上の概略構成を示すブロック図である。
【図３】同上のプラグを示す、図４のＥ−Ｅ断面での断面図である。
【図４】同上のプラグを示す正面図である。
【図５】（ａ）〜（ｃ）はそれぞれ同上のプラグを示し、（ａ）は（ｃ）のＦ−Ｆ断面での断面図、（ｂ）は（ａ）のＧ−Ｇ断面での断面図、（ｃ）は（ａ）のＨ−Ｈ断面での断面図である。
【図６】同上のプラグを示す分解斜視図である。
【図７】同上の温度センサを示す側面図である。
【図８】（ａ）〜（ｄ）はそれぞれ同上のセンサ保持体を示し、（ａ）は正面図、（ｂ）は平面図、（ｃ）は右側面図、（ｄ）は背面図である。
【図９】同上のセンサ保持体と張力止めとが互いに結合した状態を示す斜視図である。
【図１０】同上の要部を示す斜視図である。
【図１１】ＰＴＣサーミスタの温度特性の一例を示す説明図である。
【図１２】本発明の実施形態２の概略構成を示すブロック図である。
【発明を実施するための形態】
【００１２】
本発明の電源コードは、それぞれ電源コンセントの栓刃挿入口に挿入接続される複数個の栓刃１１と各栓刃１１について少なくとも１個ずつ設けられて対応する栓刃１１の温度を検出する複数個のＰＴＣサーミスタ５０とを有するプラグ１と、負荷に接続される負荷接続部２とを備える。複数個のＰＴＣサーミスタ５０は１個の直列回路を構成する。上記の電源コードは、この直列回路の抵抗値が所定値よりも高くなったときに栓刃１１から負荷接続部２への通電をオフする遮断装置３を備える。
【００１３】
本発明の別の電源コードは、それぞれ電源コンセントの栓刃挿入口に挿入接続される複数個の栓刃１１と各栓刃１１について少なくとも１個ずつ設けられて対応する栓刃１１の温度を検出する複数個のＰＴＣサーミスタ５０とを有するプラグ１と、負荷（自動車２０）に接続される負荷接続部２とを備える。負荷（自動車２０）は、栓刃１１と負荷接続部２とを通じて入力される電流の量を制御する制御回路２３を有する。複数個のＰＴＣサーミスタ５０は１個の直列回路を構成する。上記の電源コードは、この直列回路の抵抗値が所定値よりも高くなったときに制御回路２３に通知する通信回路３４を備える。
【００１４】
以下、本発明を実施するための最良の形態について、図面を参照しながら説明する。
【００１５】
本実施形態の電源コードは、図２に示すように、電源コンセント（図示せず）に接続されるプラグ１と、負荷に接続される負荷接続部２と、プラグ１から負荷接続部２への通電をオンオフする遮断装置３とを備える。
【００１６】
負荷接続部２は、コネクタであってもよいし、負荷が有する端子構造（例えばねじ端子）に接続される電線であってもよい。
【００１７】
プラグ１は、日本工業規格（ＪＩＳ）のＣ８３０３号に規定された２極接地極付のものであって、図３〜図６に示すように、電圧側極と接地側極との一方ずつを構成し電力の伝送に用いられる一対の栓刃１１と、接地極を構成する接地ピン１２とを有する。各栓刃１１と接地ピン１２とはそれぞれ例えば金属のような導電材料からなる。
【００１８】
各栓刃１１は、それぞれ、プラグ１と遮断装置３とを接続するケーブル４に含まれる電源線４１を介して遮断装置３に接続される。遮断装置３は、一方又は両方の栓刃１１と負荷接続部２との電気的な接続（通電）をオンオフする例えば電磁リレーのようなリレー３１と、リレー３１を駆動する駆動回路３２とを備える。
【００１９】
また、接地ピン１２は、上記のケーブル４に含まれる接地線４２を介して負荷接続部２に接続される。
【００２０】
以下、上下左右は図４を基準とし、図４の紙面手前側（図３の下側）を前側と呼ぶ。すなわち、栓刃１１が並ぶ方向を左右方向と呼び、栓刃１１に対して接地ピン１２が位置する方向を下方向と呼び、プラグ１において各栓刃１１と接地ピン１２とが突出する方向を前方向と呼ぶ。
【００２１】
また、プラグ１は、例えば合成樹脂のような絶縁材料からなり各栓刃１１と接地ピン１２とをそれぞれ保持する中子６と、中子６を封止した合成樹脂成型品からなる外郭７とを備える。中子６は、各栓刃１１と接地ピン１２とを挿通されるボディ８と、後述する各温度センサ５をそれぞれ保持してボディ８に結合したセンサ保持体９とを備える。ボディ８とセンサ保持体９とはそれぞれ例えば合成樹脂からなる。また、ボディ８の前面は、外郭７に覆われずにプラグ１の前面に露出する。
【００２２】
さらに、プラグ１は２個のＰＴＣサーミスタ５０を有する。各ＰＴＣサーミスタ５０は、栓刃１１に一対一に対応し、それぞれ対応する栓刃１１の温度を検出する。具体的には、各ＰＴＣサーミスタ５０について、それぞれ、対応する栓刃１１との距離は、栓刃１１間の距離よりも小さくされている。これにより、ＰＴＣサーミスタ５０と対応する栓刃１１との距離が栓刃１１間の距離よりも大きくされる場合に比べ、栓刃１１の温度とＰＴＣサーミスタ５０の出力（抵抗値）との相関が強くなる。各ＰＴＣサーミスタ５０は、それぞれ、図７に示すように、金属製のホルダ５１に保持されて温度センサ５を構成している。ホルダ５１は、全体として周知のラグ端子と同様の構造であって、円環形状の固定部５１１と、ＰＴＣサーミスタ５０を収納した本体部５１２とを有する。各ＰＴＣサーミスタ５０はそれぞれ信号線４３を介して遮断装置３に接続されている。上記の信号線４３は、電源線４１や接地線４２とともに結束されてケーブル４を構成する。ＰＴＣサーミスタ５０及び信号線４３と、ホルダ５１との間での絶縁は、例えばホルダ５１の本体部５１２に充填されたエポキシ樹脂（図示せず）により確保される。
【００２３】
各栓刃１１は、それぞれ、厚さ方向を左右方向に向けて中子６の前方に突出する扁平な突出部１１１を有する。この突出部１１１は、接続対象である電源コンセントが有する栓刃挿入口（図示せず）に挿入され、栓刃挿入口内に収納された電圧側極または接地側極の刃受け（図示せず）に接触導通する。また、各栓刃１１は、それぞれ、中子６からの突出部１１１の突出方向に直交する方向である上下方向において突出部１１１よりも突出する抜け止め部１１２を有する。
【００２４】
接地ピン１２は、軸方向を前後方向に向けた円筒形状であって中子６の前方に突出する突出部１２１を有し、この突出部１２１において、接続対象である電源コンセントが有する接地極の刃受け（図示せず）に接触導通する。また、接地ピン１２は、中子６からの突出部１１１の突出方向に直交する方向である左右方向において突出部１２１よりも突出する抜け止め部１２２を有する。
【００２５】
ボディ８の後面には、各栓刃１１と接地ピン１２との一部が収納される凹部８０が設けられている。凹部８０の底面には、１個ずつの栓刃１１の突出部１１１が挿通される２個の第１貫通穴８１と、接地ピン１２の突出部１２１が挿通される第２貫通穴８２とが設けられている。各貫通穴８１，８２は、それぞれ、突出部１１１，１２１のみ挿通可能であって抜け止め部１１２，１２２を挿通不可能な寸法形状とされている。第１貫通穴８１は左右に並べて設けられ、第２貫通穴８２は、第１貫通穴８１に挟まれる位置の下側に設けられている。
【００２６】
また、ボディ８において、凹部８０の内底面（つまりボディ８の後面）には、栓刃１１間、及び、接地ピン１２と各栓刃１１との間を仕切るＴ字型の仕切り壁８３が後方へ突設されている。
【００２７】
センサ保持体９は、図８（ａ）〜（ｄ）に示すように、栓刃１１の下側に位置する本体部９０と、本体部９０の上方に突設されて栓刃１１間に挟まれる壁部９３と、壁部９３の上端から左右両側に突設されて本体部９０との間に栓刃１１を挟む挟み部９５とを有する。
【００２８】
また、センサ保持体９は、それぞれ凹部８０に挿入されて１個ずつの栓刃１１と仕切り壁８３との間に挟まれる２個の第１凸部９１と、凹部８０に挿入されて接地ピン１２と仕切り壁８３との間に挟まれる第２凸部９２とを、前端部に有する。２個の第１凸部９１と第２凸部９２とのうち隣り合う２個の間には仕切り壁８３が挟まれ、これによって、ボディ８とセンサ保持体９とは互いに対して位置決めされる。
【００２９】
さらに、センサ保持体９は、本体部９０の前端付近から左右両側に突設されたばね台９４１と、各ばね台９４１からそれぞれ前方に突設されたばね片９４２とを備える。各ばね片９４２は、それぞれ左右方向に扁平な形状であって、前端部を左右に変位させるように弾性変形可能となっている。また、各ばね片９４２の前端部において左右方向の内向きの面には、係合爪９４３が突設されている。ボディ８の左右両面にはそれぞれ係合凸部８４が突設されている。ボディ８は、左右方向においてばね片９４２に挟まれるとともに、係合凸部に係合爪９４３が係合すること（つまり係合爪９４３が係合凸部８４の前側に位置すること）で、センサ保持体９に対して結合する。各係合凸部８４の後端部には後方に向かって突出寸法を小さくするように傾斜した傾斜面が設けられている。また、各係合爪９４３の前端部には前方へ向かって突出寸法を小さくするように傾斜した傾斜面が設けられている。ボディ８とセンサ保持体９とを互いに結合させる際には、各係合凸部８４の上下位置をそれぞれ係合爪９４３の上下位置に合わせた状態で、センサ保持体９の後方からばね片９４２間にボディ８を押し込む。すると、上記の傾斜面同士が互いに摺接することで各ばね片９４２が弾性変形し、やがて係合凸部８４が係合爪９４３の前側に至ることで各ばね片９４２が弾性復帰して各係合爪９４３が係合凸部８４に係合する。ボディ８の左右両面には、それぞれ、センサ保持体９のばね片９４２を上下方向から挟む挟み凸部８５が一対ずつ突設されている。
【００３０】
また、ケーブル４は軸方向を前後方向に向けて中子６の後方に引き出される。センサ保持体９の本体部９０の後端部には、左右方向（つまりケーブル４の径方向）においてケーブル４を挟む２個のねじ止め部９６が上方に突設されている。
【００３１】
さらに、本実施形態のプラグ１は、中子６（センサ保持体９）との間にケーブル４を挟み、中子６とともに外郭７にインサート成型される張力止め１３を備える。張力止め１３は例えば合成樹脂からなる。また、センサ保持体９において各ねじ止め部９６の上面にはそれぞれねじ穴９６０が開口しており、張力止め１３には１個ずつのねじ穴９６０に連通する２個のねじ挿通穴１３０が設けられている。張力止め１３は、それぞれねじ挿通穴１３０に挿通されてねじ穴９６０に螺合する２本のねじ１４により、センサ保持体９に対してねじ止め固定される。
【００３２】
さらに、センサ保持体９のねじ止め部９６間と張力止め１３とには、それぞれ、前後方向（すなわちケーブル４の長さ方向）に扁平な食い込み凸部９７，１３１が突設されている。センサ保持体９と張力止め１３とが互いに結合した状態でのセンサ保持体９の食い込み凸部９７と張力止め１３の食い込み凸部１３１との距離は、変形していない状態でのケーブル４の外径よりも小さくされている。すなわち、各食い込み凸部９７，１３１がそれぞれケーブル４に食い込むことで、中子６に対するケーブル４の変位が抑えられる。
【００３３】
ここで、外郭７が形成される前の段階では、中子６に対する栓刃１１や接地ピン１２の変位であって上下方向や左右方向への変位は、ボディ８の貫通穴８１，８２の内面により禁止される。また、ボディ８の各貫通穴８１，８２は、対応する栓刃１１または接地ピン１２の抜け止め部１１２，１２２を挿通不可能な寸法形状となっている。従って、中子６に対して前方（つまり突出部１１１，１２１の突出方向）への栓刃１１や接地ピン１２の変位（抜け）は、ボディ８の凹部８０の内底面への抜け止め部１１２，１２２の当接により禁止される。さらに、センサ保持体９は、栓刃１１や接地ピン１２の抜け止め部１１２，１２２の後側に位置する。従って、中子６に対して後方（つまり突出部１１１，１２１の突出方向の逆方向）への栓刃１１や接地ピン１２の変位は、センサ保持体９が抜け止め部１１２，１２２に当接することにより禁止される。
【００３４】
また、各温度センサ５は、それぞれ、センサ保持体９の壁部９３の上方から後方にかけて開口した２個のセンサ収納凹部９３０のうちの１個ずつに嵌め込まれることによってセンサ保持体９に保持される。つまり、各温度センサ５と栓刃１１との間にはセンサ保持体９が介在する。張力止め１３は、図９に示すように、センサ保持体９に結合した状態で各センサ収納凹部９３０を覆う覆い部１３２を有する。
【００３５】
上記のセンサ保持体９により、温度センサ５（ＰＴＣサーミスタ５０）及び信号線４３と、栓刃１１及び電源線４１との間での絶縁性を向上することができる。ボディ８とセンサ保持体９とを互いに結合させる手段としては、上記のような係合に代えて、または、上記のような係合とともに、ねじ止めを用いてもよい。さらに、各電源線４１に貫通穴（図示せず）を設けるとともに、この貫通穴に、栓刃１１又はセンサ保持体９に設けたカシメ突起（図示せず）を挿通してカシメることで、各電源線４１をそれぞれ栓刃１１又はセンサ保持体９に対して固定してもよい。
【００３６】
以下、本実施形態の特徴部分について説明する。
【００３７】
本実施形態においては、図１０に示すように、２個のＰＴＣサーミスタ５０は、一方の端子が互いに接続され、他方の端子がそれぞれ信号線４３を介して遮断装置３に接続されている。すなわち、２個のＰＴＣサーミスタ５０は互いに直列に接続されて１個の直列回路を構成している。遮断装置３は、上記の直列回路の抵抗値に基づいて、栓刃１１が異常な高温となっている高温状態か否かを判定する判定回路３３を備える。図１に示すように、上記の直列回路は、一端がグランドに接続され、他端が固定抵抗Ｒ１を介して定電圧源Ｖｃに接続されている。判定回路３３は、例えば、上記の直列回路の両端電圧（すなわち、上記の直列回路と固定抵抗Ｒ１との接続点の電圧。以下、「検出電圧」と呼ぶ。）Ｖｄを所定の判定電圧と比較することで高温状態か否かを判定する。すなわち、検出電圧Ｖｄが判定電圧以上であれば（つまり上記の直列回路の抵抗値が所定値以上であれば）高温状態であると判定し、検出電圧Ｖｄが判定電圧未満であれば高温状態ではないと判定する。上記のような判定回路３３は例えば周知のコンパレータを用いて実現することができる。
【００３８】
ここで、ＰＴＣサーミスタ５０としては、図１１に示すように、曲線Ａに示す比較的に抵抗値が高いものから、曲線Ｂに示すように比較的に抵抗値が低いものまでの、温度特性のばらつきを有し、９０℃〜１００℃で急激に抵抗値が変化するものが用いられる。判定電圧は、２個のＰＴＣサーミスタ５０がともに抵抗値が低い曲線Ｂの温度特性を有するものである場合でも、少なくとも一方のＰＴＣサーミスタ５０の温度が所定の判定温度となったときには検出電圧Ｖｄが上回るような値とされる。上記の判定温度は例えば実用上問題がない程度に十分に高く且つ外郭７の融点よりも低い温度とされる。例えば、図１１の例において、上記の判定温度が１００℃とされる場合、判定電圧は、上記の直列回路の抵抗値が２０００Ω（図１１中の破線）となったときの検出電圧Ｖｄとされる。
【００３９】
駆動回路３２は、判定回路３３によって高温状態であると判定されたときにリレー３１をオフ駆動することで、プラグ１（栓刃１１）から負荷接続部２への通電を停止させる。リレー３１は、一方の栓刃１１についてのみ負荷接続部２との間の通電をオンオフするいわゆる片切りスイッチとしてもよいし、両方の栓刃１１について負荷接続部２との間の通電をオンオフするいわゆる両切りスイッチとしてもよい。また、リレー３１は、漏電や過電流が検出されたときにも通電を遮断する周知の回路遮断器の機能を備えていてもよい。
【００４０】
上記構成によれば、一方のＰＴＣサーミスタ５０の温度だけが上がった場合でも通電をオフすることができるから、ＰＴＣサーミスタ５０を１個しか有さない場合に比べ、安全性の向上が可能となる。
【００４１】
また、２個のＰＴＣサーミスタ５０の直列回路の抵抗値が用いられるので、複数個のＰＴＣサーミスタ５０の抵抗値が個別に検出される場合と違い、部品点数の増加や配線の複雑化が避けられる。
【００４２】
（実施形態２）
本実施形態の基本構成は実施形態１と共通であるので、共通する部分についての図示並びに説明は省略する。
【００４３】
本実施形態では、ＰＴＣサーミスタ５０の直列回路の両端電圧（検出電圧）Ｖｄが判定電圧以上となり判定回路３３により高温状態であると判定されたときに、駆動回路３２がリレー３１をオフ駆動するのではなく、外部の制御回路２３への通知が行われる。
【００４４】
具体的には、図１２に示すように、負荷接続部２に接続される負荷としては、二次電池２１と、二次電池２１を充電する充電回路２２と、充電回路２２を制御する制御回路２３とを有する、プラグインハイブリッド車や電気自動車のような自動車２０が想定される。制御回路２３の制御により、充電回路２２から二次電池２１への充電電流が増減し、これに伴って、栓刃１１と負荷接続部２とを通じて流入する電流も増減する。また、遮断装置３は、高温状態であると判定回路３３により判定されたときに制御回路２３に通知する通信回路３４を有する。制御回路２３は、上記の通知を受けて、二次電池２１への充電電流を減少または停止させるように充電回路２２を制御する。これにより、栓刃１１に流れる電流が減少または停止するから、温度の低下が期待できる。さらに、上記の通知を受けた制御回路２３から送信された信号に従って、リレー３１をオフ駆動するように通信回路３４が駆動回路３２を制御してもよい。
【００４５】
より具体的には例えば、通信回路３４は、自動車２０の制御回路２３との間でＣＰＬＴ（コントロールパイロット）信号と呼ばれる電圧信号を送受信するものである。すなわち、プラグ１が電源コンセントに接続されると、通信回路３４は、栓刃１１を介した電力供給により始動し、まず、ＣＰＬＴ信号の電圧値を所定の第１電圧（例えば１２Ｖ）とする。自動車２０の制御回路２３は、ＣＰＬＴ信号の電圧値が第１電圧となったことを検出すると、ＣＰＬＴ信号の電圧値を第１電圧よりも低い所定の第２電圧（例えば９Ｖ）に低下させる。通信回路３４は、ＣＰＬＴ信号の電圧値が第２電圧に低下したことを検出すると、ＣＰＬＴ信号を、所定周波数（例えば１ｋＨｚ）の矩形波とし、この矩形波のオンデューティ（Ｈレベルの時間が占める割合）を、栓刃１１と負荷接続部２との間の電路の電流容量に応じた値とする。例えば、電流容量が１２Ａの場合は上記のオンデューティを２０％とし、電流容量が２０Ａであれば上記のオンデューティを５０％とする。制御回路２３は、上記のオンデューティによって示された電流容量を認識すると、ＣＰＬＴ信号のＨレベルの電圧値をさらに低下させて第３電圧（例えば６Ｖ）とする。通信回路３４は、ＣＰＬＴ信号のＨレベルの電圧値が第３電圧に低下したことを検出すると、駆動回路３２を制御してリレー３１をオン駆動させ、栓刃１１から負荷接続部２を通じた充電回路２２への給電を開始させる。これにより、充電回路２２による二次電池２１の充電が開始される。制御回路２３は、充電回路２２による二次電池２１の充電中、二次電池２１への充電電流の最大値が上記の電流容量を超えないように、充電回路２２を制御する。また、制御回路２３は、充電回路２２の動作中にも、ＣＰＬＴ信号のオンデューティの変動に応じて、充電回路２２から二次電池２１への充電電流の最大値を変更する。さらに、制御回路２３は、二次電池２１の電圧を監視しており、二次電池２１の電圧が所定の目標値に達すると、ＣＰＬＴ信号のＨレベルの電圧値を第３電圧から第２電圧に復帰させる。通信回路３４は、ＣＰＬＴ信号のＨレベルの電圧値が第２電圧に復帰したことを検出すると、リレー３１をオフ駆動するように駆動回路３２を制御するとともに、ＣＰＬＴ信号の電圧レベルを第１電圧とする。
【００４６】
上記のようにＣＰＬＴ信号が用いられる場合において、高温状態の通知は、通知する電流容量を低下させるようなＣＰＬＴ信号のオンデューティの変更により達成される。ただし、実際に電流が減少されるためには、変更後のオンデューティによって通知される電流容量に対応する充電電流の最大値が、オンデューティが変更される直前における充電電流の電流値よりも小さい必要がある。つまり、少なくとも、始動時に通知される電流容量は、ＣＰＬＴ信号で表現可能な電流容量の最小値よりも大きい必要がある。なお、制御回路２３が、ＣＰＬＴ信号のオンデューティが所定の値（例えば０）とされたときに充電回路２２を停止させるものである場合、高温状態の通知は、ＣＰＬＴ信号のオンデューティを上記所定の値とするものであってもよい。
【００４７】
なお、本発明は、プラグ１に栓刃１１を３個有する三相交流用のものにも適用可能である。
【符号の説明】
【００４８】
１  プラグ
２  負荷接続部
３  遮断装置
１１  栓刃
２０  自動車（負荷）
２３  制御回路
３４  通信回路
５０  ＰＴＣサーミスタ
【図１】
2015115264.tif 000003
【図２】
2015115264.tif 000004
【図３】
2015115264.tif 000005
【図４】
2015115264.tif 000006
【図５】
2015115264.tif 000007
【図６】
2015115264.tif 000008
【図７】
2015115264.tif 000009
【図８】
2015115264.tif 000010
【図９】
2015115264.tif 000011
【図１０】
2015115264.tif 000012
【図１１】
2015115264.tif 000013
【図１２】
2015115264.tif 000014